(57)【要約】【課題】従来よりも軽量であり、老人や子供など比較的力が弱いユーザにおいても扱いやすい冷凍ショーケース用複層ガラス構造体、及び冷凍ショーケースを提供する。【解決手段】冷凍ショーケースの庫内側に位置する第１のガラス板と、前記第１のガラス板と所定の空間を隔てて対向しかつ庫外側に位置する第２のガラス板と、前記第１、第２のガラス板の周縁部を、スペーサーを介して保持して一体構造を構成する冷凍ショーケース用複層ガラス構造体であって、前記第１のガラス板の庫内側の面には第１の防曇層が設けられており、前記第１のガラス板の庫外側の面には第１の低放射膜が設けられており、前記第２のガラス板の庫内側の面には酸化金属を含む透明膜が設けられており、前記空間には断熱ガスが充填されていることを特徴とする、冷凍ショーケース用複層ガラス構造体。【選択図】図１
2017077985.tif 000002
【特許請求の範囲】
【請求項１】
冷凍ショーケースの庫内側に位置する第１のガラス板と、
前記第１のガラス板と所定の空間を隔てて対向しかつ庫外側に位置する第２のガラス板と、
前記第１、第２のガラス板の周縁部を、スペーサーを介して保持して一体構造を構成する冷凍ショーケース用複層ガラス構造体であって、
前記第１のガラス板の庫内側の面には第１の防曇層が設けられており、
前記第１のガラス板の庫外側の面には第１の低放射膜が設けられており、
前記第２のガラス板の庫内側の面には酸化金属を含む透明膜が設けられており、
前記空間には断熱ガスが充填されていることを特徴とする、冷凍ショーケース用複層ガラス構造体。
【請求項２】
前記防曇層は、親水膜である請求項１に記載の冷凍ショーケース用複層ガラス構造体。
【請求項３】
前記酸化金属を含む透明膜は、第２の低放射膜である請求項１または２に記載の冷凍ショーケース用複層ガラス構造体。
【請求項４】
前記第２のガラス板の庫外側の面に、第２の防曇層が設けられている請求項３に記載の冷凍ショーケース用複層ガラス構造体。
【請求項５】
前記酸化金属を含む透明膜は、加熱手段である請求項１または２に記載の冷凍ショーケース用複層ガラス構造体。
【請求項６】
前記酸化金属を含む透明膜は、アンチモンドープされた酸化スズ、またはビスマスドープされた酸化スズ、または、フッ素ドープされた酸化スズからなる膜である、請求項５に記載の冷凍ショーケース用複層ガラス構造体。
【請求項７】
請求項１〜６のいずれか１項に記載の冷凍ショーケース用複層ガラス構造を備えた冷凍ショーケース。
【発明の詳細な説明】
【技術分野】
【０００１】
本発明は、複層ガラス構造体、及び保冷ショーケースに関する。
【背景技術】
【０００２】
従来、コンビニエンス・ストア等においては、冷凍ショーケース内に各種商品（アイス、冷凍食品等）を保管し販売している。冷凍ショーケースは正面にサッシとガラス板で構成されたドアを備え、サッシの正面にはハンドルが取り付けられている。このハンドルをユーザが開閉操作することで、ドアを前後に開閉することができる。また、ドアは周縁のサッシを除いて概ねガラス製のため、ユーザは庫内の商品を、ドアを開くことなく識別かつ選択できる。そのため、ドアの開閉の際にガラス面に結露によって曇りが生じることは販促上大きな支障となる。
【０００３】
冷凍ショーケースのドアのガラス面に結露によって曇りが生じることを防ぐため、冷凍ショーケースに使用される複層ガラス構造体として、例えば、冷凍ショーケースの庫内側に位置する第１のガラス板と、この第１のガラス板と所定の空間を隔てて対向しかつ庫外側に位置する第２のガラス板と、この第２のガラス板と所定の空間を隔てて対向しかつさらに庫外側に位置する第３のガラス板からなり、第１のガラス板と第２のガラス板の少なくとも一方に、低放射膜が付加され、第３のガラス板の庫内側表面に導電膜が付加された複層ガラス構造体などが知られている（例えば、特許文献１参照）。
【先行技術文献】
【特許文献】
【０００４】
【特許文献１】特開２０１１−０８４４６０号公報
【発明の概要】
【発明が解決しようとする課題】
【０００５】
しかしながら、特許文献１の複層ガラス構造体は、第１、２、３のガラス板の厚さが２．５〜５ｍｍと厚いため、老人や子供など比較的力が弱いユーザにおいては、冷凍ショーケースの扉が重く、扱いにくいという問題があった。
【０００６】
そこで本発明は、従来よりも軽量であり、老人や子供など比較的力が弱いユーザにおいても扱いやすく、かつ冷凍ショーケースのドアのガラス面への結露や結氷を防いで、庫内商品の視認性を維持できる冷凍ショーケース用複層ガラス構造体、及び冷凍ショーケースを提供することを目的とする。
【課題を解決するための手段】
【０００７】
上記目的を達成するため、本発明に係る冷凍ショーケース用複層ガラス構造体は、冷凍ショーケースの庫内側に位置する第１のガラス板と、前記第１のガラス板と所定の空間を隔てて対向しかつ庫外側に位置する第２のガラス板と、前記第１、第２のガラス板の周縁部を、スペーサーを介して保持して一体構造を構成する冷凍ショーケース用複層ガラス構造体であって、前記第１のガラス板の庫内側の面には第１の防曇層が設けられており、前記第１のガラス板の庫外側の面には第１の低放射膜が設けられており、前記第２のガラス板の庫内側の面には酸化金属を含む透明膜が設けられており、前記空間には断熱ガスが充填されていることを特徴とする。
【発明の効果】
【０００８】
本発明によれば、従来よりも軽量であり、老人や子供など比較的力が弱いユーザにおいても扱いやすく、かつ冷凍ショーケースのドアのガラス面への結露や結氷を防いで、庫内商品の視認性を維持できる冷凍ショーケース用複層ガラス構造体、及び冷凍ショーケースを提供することができる。
【図面の簡単な説明】
【０００９】
【図１】本発明の冷凍ショーケース用複層ガラス構造体の第１の実施形態を示す断面図である。
【図２】本発明の冷凍ショーケース用複層ガラス構造体の第２の実施形態を示す断面図である。
【図３】本発明の冷凍ショーケース用複層ガラス構造体の第３の実施形態を示す断面図である。
【発明を実施するための形態】
【００１０】
以下、図面を参照して、本発明の実施形態について説明する。
【００１１】
図１に示す冷凍ショーケース用複層ガラス構造体１００は、冷凍ショーケースのドアに用いられる複層ガラス構造体の第１の実施形態である。
ここで、冷凍ショーケースとは、冷凍食品等を保管するショーケースであって、庫内側の温度が−１８℃以下で保たれているショーケースを指す。
【００１２】
冷凍ショーケース用複層ガラス構造体１００は、冷凍ショーケースの庫内側に位置する第１のガラス板１１と、第１のガラス板１１と所定の空間１８を隔てて対向しかつ庫外側に位置する第２のガラス板１２と、第１、第２のガラス板の周縁部を、スペーサー１３を介して保持されることで一体的に構成されている。
【００１３】
第１、第２のガラス板１１、１２の厚さは特に限定がないが、１枚でも窓として使用実績のある１〜５ｍｍが好ましい。必要に応じて、強化ガラス、合わせガラスを１枚もしくは２枚へ適用してもよい。
なお、本発明では、ガラスは無機ガラスと有機ガラスの両方を含むものとする。有機ガラスとはアクリルなどを代表とする透明樹脂を示す。
【００１４】
第１のガラス板１１と第２のガラス板１２との空間１８は、空間１８を満たす気体によって断熱効果は異なるが、保冷ショーケースのドアとしての収まりの点から、空間１８の厚さは８〜２０ｍｍであることが好ましい。
【００１５】
空間１８には、断熱ガスが充填されていることが好ましい。断熱ガスとは、熱伝導率が空気より小さいガスのことを意味し、希ガスであるクリプトン（Ｋｒ）ガス、アルゴン（Ａｒ）ガスが好ましい。断熱ガス中の希ガスの濃度は高いほど好ましいい。熱伝導率が空気より小さくなれば、空気と希ガスの混合ガスでもよい。
【００１６】
断熱ガスがクリプトンの場合、空間１８の厚さは８〜１２ｍｍであることが好ましく、断熱ガスがアルゴンの場合、空間１８の厚さは１４〜２０ｍｍであることが好ましい。
【００１７】
スペーサー１３は、ガラス板とガラス板の間隔を保持する機能、ガラス板を接着する機能、空気層内部を密閉する機能を持ち、特にガラス板とガラス板の間隔を保持する機能を持つ部材の主な構成物質が樹脂であることを意味する。樹脂が主な構成物質とは、樹脂の中に金属の部品が一部導入してあってもよいことを意味する。
【００１８】
冷凍ショーケース用複層ガラス構造体１００において、第１のガラス板１１の庫内側の面に第１の防曇層１４が設けられている。第１の防曇層は、ガラス表面への結露や結氷を防ぐ機能を備える。
【００１９】
ここで、第１の防曇層１４の形成方法について述べる。防曇機能を有する固形分を溶剤に溶解させて得た薬液をガラス板（第１のガラス板１１）に塗布し、溶剤を揮発・乾燥させることで第１のガラス板１１の表面に第１の防曇層１４を形成する。なお、第１の防曇層１４を透明の樹脂フィルム上に形成することで得られた防曇性樹脂フィルムを第１のガラス板１１に貼合しても構わない。
【００２０】
また、この第１の防曇層１４は、空気中の水分や膜表面に吸着した水分を膜中に吸収することで膜表面の水滴形成を阻害し、防曇機能を発揮する吸水性樹脂膜であっても、膜表面に付着した水の接触角を１０°以下程度まで低下せしめ水膜とし水滴の形成を阻害する親水性膜のどちらであっても構わない。親水性膜はその表面に吸着した水が膜状となる。吸水性樹脂膜としては、例えばポリアクリル酸エステルとエポキシをアルコールで溶解し、これをガラス表面に塗布し、加熱乾燥して形成する方法がある。
【００２１】
また、第１の防曇層１４の形成方法は、特定の方法に制限されるものではなく、ディップコート法、スプレーコート法、スピンコート法、ノズルフローコート法、刷毛塗り法並びにそれらの併用など既知の塗布方法から任意に選択することができる。
【００２２】
また、防曇層１４は、耐久性を増すためにＳｉＯ２などの下地層があっても構わない。この下地層は、ゾル−ゲル法を用いたウェットコーティングで塗布して形成することもできるし、スパッタ法やＣＶＤ法を用いたドライコーティングで製膜することもできる。
【００２３】
第１の防曇層１４は、完全に透明であることが視認性の観点から好ましいが、視認性を損なわない程度に着色されていても構わない。さらに、第１の防曇層１４を防曇性樹脂フィルムとして第１のガラス板１１に貼付する場合は、フィルムをガラスに密着させ固定させるために接着剤を用いることもできる。接着剤の種類は特に限定されるものではないが、視認性の観点から、完全に透明であることが好ましい。
【００２４】
なお、第１の防曇層１４としては、特開２００５−１１９９２０号公報等に開示されている公知の親水膜を適用できる。
【００２５】
冷凍ショーケース用複層ガラス構造体１００において、第１のガラス板１１の庫外側の面には、第１の低放射膜１６（Ｌｏｗ−Ｅ膜）が設けられている。第１の低放射膜１６は、銀系の低放射膜であってもよいし、非銀系の低放射膜であってもよい。
【００２６】
第１の低放射膜１６が銀系の低放射膜の場合、第１の低放射膜１６は、薄膜の積層膜からなり、銀を主成分とする膜を、亜鉛を主成分とする酸化物薄膜で挟んだ積層膜（亜鉛酸化物／銀／亜鉛酸化物と記載する）であってもよい。低放射率を下げるためには、前記積層体を２重にした積層膜（亜鉛酸化物／銀／亜鉛酸化物／銀／亜鉛酸化物）がより好ましい。この積層膜では透過率が高く低放射であるために、ショーケースの内部を目視しやすい。
【００２７】
第１の低放射膜１６としては、例えば特公平８−３２４３６号公報に開示されている透明導電性の膜や、特開平６−１４４８７４号公報に開示されている熱線反射膜を適用できる。
【００２８】
第１の低放射膜１６が非銀系の低放射膜の場合、第１の低放射膜１６は、酸化スズ（ＳｎＯ２）を主体として構成されていてもよい。第１の低放射膜１６が、非銀系、つまり、主成分として銀を含まない場合、周囲の空気中の酸素や、湿気（水分）などの成分に対して、銀を主成分とする低放射膜よりも耐久性が高い。さらに、第１の低放射膜１６が酸化スズを主体とする低放射膜であると傷に強く、耐摩耗性に優れるため、第１のガラス板１１において、第１の低放射膜１６を形成後に、第１の低放射膜１６がローラーに接するように載置され搬送されたとしても、第１の低放射膜１６の反対面側、すなわち第１のガラス板１１の庫内側の面に表面処理加工、すなわち第１の防曇層１４を形成することが可能となり、生産性を飛躍的に向上させることができる。
【００２９】
冷凍ショーケース用複層ガラス構造体１００において、第２のガラス板１２の庫内側の面には、酸化金属を含む透明膜１７が設けられている。ここで、酸化金属を含む透明膜１７は、第２の低放射膜（Ｌｏｗ−Ｅ膜）であってもよい。酸化金属を含む透明膜１７が第２の低放射膜である場合、第２の低放射膜は第１の低放射膜１６と同じ材料であってもよいし、異なる材料であってもよい。
【００３０】
例えば、特開２０１１−０８４４６０号公報に開示されているような、３枚のガラス板を用いた複層ガラス構造体の場合、各ガラス板の寸法が１５４９ｍｍ×６８４ｍｍ、厚みが３ｍｍである場合、３枚のガラス板の総重量が２７．２ｋｇであり、スペーサーや低放射膜、導電膜などを含めると、保冷ショーケースのドアの総重量は３０.５ｋｇになる。しかし、第１の実施形態の冷凍ショーケース用複層ガラス構造体１００の場合、第１のガラス板１１、第２のガラス板１２の寸法が、１５４９ｍｍ×６８４ｍｍ、厚みが３ｍｍである場合、第１のガラス板１１と第２のガラス板１２の総重量は１８．７ｋｇ、スペーサー１３や防曇層１４、第１の低放射膜１６、第２の酸化金属を含む透明膜１７などを含めた冷凍ショーケース用複層ガラス構造体１００を用いた冷凍ショーケースのドアの総重量は２２．０ｋｇとなり、従来の保冷ショーケースのドアよりも８ｋｇ以上軽量化される。
【００３１】
したがって、冷凍ショーケース用複層ガラス構造体１００において、冷凍ショーケースの庫内側に位置する第１のガラス板１１と、第１のガラス板１１と所定の空間を隔てて対向しかつ庫外側に位置する第２のガラス板１２と、第１、第２のガラス板１１、１２の周縁部を、スペーサー１３を介して保持して一体構造を構成し、第１のガラス板１１の庫内側の面に第１の防曇層が設けられ、第１のガラス板１１の庫外側の面に第１の低放射膜１６が設けられ、第２のガラス板の庫内側の面に酸化金属を含む透明膜１７が設けられ、空間１８に断熱ガスが充填されるため、冷凍ショーケース用複層ガラス構造体１００の軽量化を実現でき、老人や子供など比較的力が弱いユーザであっても扱いやすい。さらに、庫内側温度が−１８℃以下の冷凍ショーケース用のドアに用いたとしても、第１の低放射膜１６と酸化金属を含む透明膜と、空間１８に充填された断熱ガスの効果により、断熱性能を備えつつ、冷凍ショーケースのドアのガラス面への結露や結氷を防ぐため、庫内商品の視認性を維持できる。
【００３２】
図２に示す冷凍ショーケース用複層ガラス構造体１０１は、冷凍ショーケースのドアに用いられる複層ガラス構造体の第２の実施形態である。
【００３３】
第２の実施形態である冷凍ショーケース用複層ガラス構造体１０１は、第１の実施形態である冷凍ショーケース用複層ガラス構造体１００に対し、第２のガラス板１２の庫外側の面に第２の防曇層１５を備える。
【００３４】
ここで、第２の防曇層１５は、第１の防曇層１４と同じ材料であってもよいし、異なる材料であってもよい。なお、第２の防曇層１５を透明の樹脂フィルム上に形成することで得られた防曇性樹脂フィルムを第２のガラス板１２に貼合すると、庫外側においてユーザなどにより冷凍ショーケース用複層ガラス構造体１０１に衝撃を加え、第２のガラス板１２が破損した場合でも、ガラスの飛散を防止することができる。
【００３５】
さらに、第２の実施形態である冷凍ショーケース用複層ガラス構造体１０１において、酸化金属を含む透明膜１７は第２の低放射膜（Ｌｏｗ−Ｅ膜）であることが好ましい。
【００３６】
酸化金属を含む透明膜１７は、第１の低放射膜１６と同じ材料であってもよいし、異なる材料であってもよいが、酸化金属を含む透明膜１７が酸化スズを主体とする低放射膜であると傷に強く、耐摩耗性に優れるため、第２のガラス板１２において、酸化金属を含む透明膜１７を形成後に、酸化金属を含む透明膜１７がローラーに接するように載置され搬送されたとしても、酸化金属を含む透明膜１７の反対面側、すなわち第２のガラス板１２の庫外側の面に表面処理加工、すなわち第２の防曇層１５を形成することが可能となり、生産性を飛躍的に向上させることができる。
【００３７】
図３に示す冷凍ショーケース用複層ガラス構造体１０２は、冷凍ショーケースのドアに用いられる複層ガラス構造体の第３の実施形態である。
【００３８】
図３に示す冷凍ショーケース用複層ガラス構造体１０２において、第２のガラス板の庫内側面に設けられた酸化金属を含む透明膜は、加熱手段１９である。
【００３９】
酸化金属を含む透明膜が加熱手段１９である場合、酸化金属を含む透明膜はガラス板を通電加熱する機能があればよい。第２のガラス板１２の庫内側の面に設けられた酸化金属を含む透明膜により、第２のガラス板１２の温度を上昇させ、第２のガラス板１２の庫外側の面の結露、氷結を防止することができる。
【００４０】
加熱手段１９は、透明導電膜でもよい。透明導電膜の材料としては、アンチモンドープされた酸化スズ、ビスマスドープされた酸化スズ、またはフッ素ドープされた酸化スズがよく、フッ素ドープの酸化スズがコスト的にも安くより好ましい。
【００４１】
加熱手段１９は、図示しない電力伝達手段を介し、同じく図示しない電力供給手段により電力が供給される。なお、加熱手段は、常に電力が供給され通電状態にあってもよく、センサやスイッチなどで通電のＯＮ／ＯＦＦを制御可能としてもよい。
【００４２】
加熱手段１９は、シート抵抗値が１３０〜５００Ω／□であることが好ましい。さらに、加熱手段１９の放射率は、ＪＩＳ  Ｒ  ３３１０６（１９９８）規定で０．６以下であることが好ましい。より好ましくはＪＩＳ  Ｒ  ３３１０６（１９９８）規定で０．５以下である。
【００４３】
第３の実施形態である冷凍ショーケース用複層ガラス構造体１０２において、第２のガラス板１２の庫内側の面に設けられた加熱手段１９により第２のガラス板１２を加熱することで、第２のガラス板１２の庫外側の結露を防止することが出来る。
【００４４】
また、第１のガラス板１１の庫内側の面に第１の防曇層が設けられるため、冷凍ショーケース用のドアを開けた時の、第１のガラス板１１の庫内側の面への結露や結氷を防ぐことができ、庫内商品の視認性を維持できる。
【００４５】
さらに、加熱手段１９が、シート抵抗値が１３０〜５００Ω／□であり、放射率がＪＩＳ  Ｒ  ３３１０６（１９９８）規定で０．６以下であると、第１のガラス板１１の庫外側の面に第１の低放射膜が設けられ、空間１８に断熱ガスが充填されるため、庫内側温度が−１８℃以下の冷凍ショーケース用のドアに用いたとしても、断熱性能を備えつつ、冷凍ショーケース用複層ガラス構造体１０２の軽量化を実現でき、老人や子供など比較的力が弱いユーザであっても扱いやすい。
【００４６】
以上、本発明の好ましい実施形態について詳説したが、本発明は上述した実施形態に制限されることはなく、本発明の範囲を逸脱することなく、上述した実施形態に種々の変形、改良及び置換を加えることができる。
【産業上の利用可能性】
【００４７】
本発明に係る複層ガラス構造体は、アイスや冷凍食品等を保管するのに使用される冷凍ショーケースに好適である。また、本発明は、開き戸だけでなく、引き戸や固定窓等にも適用できることは明らかである。また、本発明は、自動車、鉄道車両、航空機、船舶、または建築物の窓に適用することもできる。さらに、本発明に係るドア構造体において、ガラス板の一例として合わせガラスや樹脂板を適宜用いることができる。
【符号の説明】
【００４８】
１００、１０１、１０２  冷凍ショーケース用複層ガラス構造体
１１  第１のガラス板
１２  第２のガラス板
１３  スペーサー
１４  第１の防曇層
１５  第２の防曇層
１６  第１の低放射膜
１７  酸化金属を含む透明膜
１８  空間
１９  加熱手段
【図１】
2017077985.tif 000003
【図２】
2017077985.tif 000004
【図３】
2017077985.tif 000005